(57)【特許請求の範囲】
【請求項１】
ベッド台上に弾性を有する略円柱形状の下ロールをベッドの長手方向に向けた状態で複数本所定間隔をおいてベッドの短手方向に配置し、内部に気体を充填した複数のチューブ状の第１結束体で下ロール同士を結束し、各下ロール間の中間の第１結束体上面に弾性を有する略円柱形状の上ロールを下ロールと平行にそれぞれ配置し、同上ロール同士を第２結束体で結束し、複数本の上ロール及び下ロールで凹凸のあるベッド面を形成するようにし、しかも第１結束体がチューブ状で内部に空気などの気体を所定量充填して適度なクッション性を付与するもので、無端で上下に交互に交差するように折曲してその間に下ロールを上下から挾むように結束したものである、ベッド用マットレス。
【請求項２】
第２結束体が、各上ロールを把持するループ部を紐体で連結したものである請求項１記載のベッド用マットレス。
【請求項３】
第２結束体が、袋状で複数本の上ロールを封入し、各上ロールが動かないように上面及び下面を縫止したものである請求項１記載のベッド用マットレス。
【請求項４】
第２結束体で連結された複数本の上ロール全体を袋状の被覆カバーで被覆して汚染を防止できるようにした請求項１又は２いずれか記載のベッド用マットレス。
【請求項５】
第１結束体で結束された複数本の下ロール全体を袋状の被覆カバーで被覆して汚染を防止できるようにした請求項１〜４いずれか記載のベッド用マットレス。
【請求項６】
上ロール及び下ロールを同じ位置で複数箇所縮径し、マットレスを縮径箇所で折曲可能にした請求項１〜５いずれか記載のベッド用マットレス。
【請求項７】
ソファの座面となる基台上に弾性を有する略円柱形状の下ロールをソファの幅方向に向けた状態で複数本所定間隔においてソファの奥行方向に配置し、内部に気体を充填した複数のチューブ状の第１結束体で下ロール同士を結束し、各下ロール間の中間の第１結束体上面に弾性を有する略円柱形状の上ロールを下ロールと平行にそれぞれ配置し、同上ロール同士を第２結束体で結束し、複数本の上ロール及び下ロールで凹凸のある座面を形成するようにし、しかも第１結束体が無端で上下に交互に交差するように折曲してその間に下ロールを上下から挾むように結束したものである、ソファ用クッション。
【請求項８】
第２結束体が、上ロールを把持するループ部を紐体で連結したものである請求項７記載のソファ用クッション。
【請求項９】
第２結束体が、袋状で複数本の上ロールを封入し、各上ロールが動かないように上面及び下面を縫止したものである請求項７記載のソファ用クッション。
【請求項１０】
第２結束体で結束された複数本の上ロール全体を袋状の被覆カバーで被覆して汚染を防止できるようにした請求項７又は８いずれか記載のソファ用クッション。
【請求項１１】
第１結束体で結束された複数本の下ロール全体を袋状の被覆カバーで被覆して汚染を防止できるようにした請求項７〜９いずれか記載のソファ用クッション。
【発明の詳細な説明】
【０００１】
【発明の属する技術分野】
本発明はベッドやソファに使用されるマットレスやクッションであって、詳しくは身体がズレることなく容易に姿勢を保持でき、長時間使用しても血行を維持して床擦れを防止できるようにした技術に関する。
【０００２】
【従来の技術】
従来のベッド用マットレスやソファ用クッションとしては、内部にスプリングやウレタンフォームを組み込んでクッション性を均一に付与した平坦な形状のものが主流である。このようなマットレスやクッションは身体を傾けて背中を枕等で補助して横向きに寝たり座面として座ると形状が平坦であるため、徐々にズレて姿勢を保持できなくなるという問題点があった。また、特にお年寄りや身障者など長時間に渡って使用していると、血管を圧迫して血行を妨げ床擦れを生じさせる恐れがあった。
【０００３】
【発明が解決しようとする課題】
本発明が解決しようとする課題は、従来のこれらの問題点を解消し、身体がズレることなく容易に姿勢を保持でき、長時間使用しても血行を維持して床擦れを防止できるようにしたベッド用マットレス及びソファ用クッションを提供することにある。
【０００４】
【課題を解決するための手段】
かかる課題を解決した本発明の構成は、
１）  ベッド台上に弾性を有する略円柱形状の下ロールをベッドの長手方向に向けた状態で複数本所定間隔をおいてベッドの短手方向に配置し、内部に気体を充填した複数のチューブ状の第１結束体で下ロール同士を結束し、各下ロール間の中間の第１結束体上面に弾性を有する略円柱形状の上ロールを下ロールと平行にそれぞれ配置し、同上ロール同士を第２結束体で結束し、複数本の上ロール及び下ロールで凹凸のあるベッド面を形成するようにし、しかも第１結束体がチューブ状で内部に空気などの気体を所定量充填して適度なクッション性を付与するもので、無端で上下に交互に交差するように折曲してその間に下ロールを上下から挾むように結束したものである、ベッド用マットレス
２）  第２結束体が、各上ロールを把持するループ部を紐体で連結したものである前記１）記載のベッド用マットレス
３）  第２結束体が、袋状で複数本の上ロールを封入し、各上ロールが動かないように上面及び下面を縫止したものである前記１）記載のベッド用マットレス
４）  第２結束体で連結された複数本の上ロール全体を袋状の被覆カバーで被覆して汚染を防止できるようにした前記１）又は２）いずれか記載のベッド用マットレス
５）  第１結束体で結束された複数本の下ロール全体を袋状の被覆カバーで被覆して汚染を防止できるようにした前記１）〜４）いずれか記載のベッド用マットレス
６）  上ロール及び下ロールを同じ位置で複数箇所縮径し、マットレスを縮径箇所で折曲可能にした前記１）〜５）いずれか記載のベッド用マットレス
７）  ソファの座面となる基台上に弾性を有する略円柱形状の下ロールをソファの幅方向に向けた状態で複数本所定間隔においてソファの奥行方向に配置し、内部に気体を充填した複数のチューブ状の第１結束体で下ロール同士を結束し、各下ロール間の中間の第１結束体上面に弾性を有する略円柱形状の上ロールを下ロールと平行にそれぞれ配置し、同上ロール同士を第２結束体で結束し、複数本の上ロール及び下ロールで凹凸のある座面を形成するようにし、しかも第１結束体が無端で上下に交互に交差するように折曲してその間に下ロールを上下から挾むように結束したものである、ソファ用クッション
８）  第２結束体が、上ロールを把持するループ部を紐体で連結したものである前記７）記載のソファ用クッション
９）  第２結束体が、袋状で複数本の上ロールを封入し、各上ロールが動かないように上面及び下面を縫止したものである前記７）記載のソファ用クッション
１０）  第２結束体で結束された複数本の上ロール全体を袋状の被覆カバーで被覆して汚染を防止できるようにした前記７）又は８）いずれか記載のソファ用クッション
１１）  第１結束体で結束された複数本の下ロール全体を袋状の被覆カバーで被覆して汚染を防止できるようにした前記７）〜９）いずれか記載のソファ用クッション
にある。
【０００５】
【作用】
本発明では、複数本の上ロールで形成されたベッド面や座面の凹凸で身体との接触面積が小さくなることにより、血管の圧迫を低減して床擦れを防止できるようにする。また、例えば身体を横向きに傾けると片方の腕が上ロール間の凹所に若干入ることにより、身体がズレることなく姿勢を保持できるようにする。さらに、チューブ状の第１結束体でクッション性を付与できるようにし、第１結束体に充填する気体の量を調節することによりクッション性を変更できるようにする。
複数本の上ロール又は下ロールを袋状の被覆カバーで被覆したものは、各ロールへのゴミや汚れの付着を防止できるようにする。
上ロール及び下ロールを所定長さで折曲可能にしたものは、例えばリクライニング機能を有するベッド台上に載置して可動部に沿ってマットレスを折曲できるようにする。
【０００６】
【発明の実施の形態】
上ロール及び下ロールとしては、直径５０〜８０ｍｍの略円柱形状で、圧縮した綿を袋状に形成したポリエステルなどからなる布袋で密封したものや、略円柱形状に成形した発泡ポリスチレンや発泡ポリスチロールなどの発泡合成樹脂などがあり、ある程度の剛性と変形可能な適度の弾性を有するものが好ましい。長さはベッドのマットレスとして使用する場合はおよそ２５００〜３０００ｍｍの範囲で、リクライニング機能を有するベッドの場合はベッドの可動する基台の長さに合わせて各ロールを同じ位置で縮径して折曲可能にする。他、ソファのクッションとして用いたり直接床面に敷設して使用することもある。
第１結束体としては、内部に空気などの気体を所定量充填して適度なクッション性を付与するもので、ゴムチューブやビニルチューブなどが使用できるが、例えば自転車のタイヤチューブなどを用いれば安価に構成できる。クッション性は気体の充填量を調節することで容易に変更できる。
第２結束体としては、紐状のポリエステルなどで良く、上ロールを下ロール間の中間の第１結束体上面に保持するために使用するものである。また、ゴムバンドなど弾性を示すものであれば、上ロール同士の間隔を使用者の体形に合わせて柔軟に調整できる。
被覆カバーとしては、ベッドのマットレスや布団のシーツ等に使用されているポリエステル製のものが一般的に用いられ、ロールの汚染を防止するために使用する。
【０００７】
【実施例】
以下、本発明の実施例を図面に基づいて具体的に説明する。
【０００８】
実施例１（図１〜７参照）
図１〜７に示す実施例１は、ベッド台上に下ロールを横方向に７本平行に配置し、同下ロール同士を空気を充填したゴム製のチューブからなる第１結束体で結束し、各下ロールを被覆カバーで被覆し、各下ロール同士間の上面に上ロールを下ロールと平行に６本配置し、上ロール同士を紐状の第２結束体で結束し、各上ロールを被覆カバーで被覆し、上ロールの上面に敷布団を敷設したベッドの例である。
図１は、実施例１のベッドの正面図である。
図２は、実施例１のベッドの一部切欠平面図である。
図３は、図２のＡ−Ａ断面図である。
図４は、実施例１の下ロールの平面からみた説明図である。
図５は、実施例１の上ロールの平面からみた説明図である。
図６は、実施例１の使用状態を示す説明図である。
図７は、実施例１の使用状態を示す説明図である。
【０００９】
図中、１はベッド、２はベッド１の基台、２ａは基台２の脚である。
３は下ロールであって、８０ｍｍの間隔をおいて配置した直径６５ｍｍ、長さ２７００ｍｍの略円柱形状で、圧縮した綿３ａを袋状に形成したポリエステル製の布袋３ｂで密封している。全体としては適度な剛性を有しており、表面は指圧で容易に変形する程度の硬さとしている。
４は第１結束体であって、直径４０ｍｍの自転車のタイヤチューブを利用したもので、内部に空気を充填して適度な弾力性を付与している。この第１結束体４で図３，４に示すように上下に交互に交差するように折曲してその間に下ロールを上下から挾むように結束している。
５は上ロールであって、直径６５ｍｍ、長さ２７００ｍｍの略円柱形状で、圧縮した綿５ａを袋状に形成したポリエステル製の布袋５ｂで密封している。下ロールと同様に全体として適度な剛性を有し、表面は指圧で変形する硬さとしている。
６は第２結束体であって、ポリエステル製からなる紐状をしており、図５に示すように上ロール５同士を横方向に平行に並べて連結している。
７，８はポリエステル製の被覆カバー、９は敷布団、１０はシーツ、１１は枕、ｈは人である。
【００１０】
本実施例では、図６に示すように人ｈが敷布団９上に仰向けに寝ると、体重で敷布団９が上ロール５間の凹所により凹凸となる。従って、人ｈの背中は敷布団９と部分的に接することになるから、接していない部分は血行が維持されて床擦れし難くなる。また、上ロール５が背筋に沿っているから血行にも良い。
また、体を横向きにする場合は図７に示すように背中を略三角形状に変形させた枕１１で支える場合がある。このとき、人ｈは片方の腕が敷布団９に接することになるが、敷布団９が上ロール５に沿って凹凸となっているため腕が凹所に入り、体がズレることなく姿勢が保持される。
さらに、クッション性については第１結束体４により付与されており、ベッド１面が硬く感じることはないし、第１結束体４に充填する空気を任意の量に調節するだけでベッド１面のクッション性が容易に変化する。
このように、本実施例では長時間寝ても血行を維持して床擦れを防止できるとともに、体を横向きに傾けても容易に姿勢を保持することができ、実用に供するベッドとすることができた。
【００１１】
図８，９に示すのは、上ロール及び下ロールを同じ位置で３箇所縮径して折曲可能にし、リクライニング機能を有するベッドの基台上に載置して使用できるようにした実施例１の他の例である。
図８は、実施例１の他のベッドのシーツ及び敷布団を省略した一部切欠平面図である。
図９は、実施例１の他のベッドの側面図である。
図中、１２はベッド１の可動基台で、長手方向に３分割して上方に角度をつけて可動できるようにしている。上ロール５及び下ロール３は図８に示すように頭側から１６７０ｍｍ，２８０ｍｍ，３５０ｍｍ，４００ｍｍの位置でそれぞれ縮径し、上ロール５同士をゴムバンドからなる第２結束体６で８０ｍｍ間隔で結束している。
【００１２】
本実施例では、図９に示すように下ロール３及び上ロール５の縮径している部分でベッド１の可動基台１２の上昇に合わせて折曲できるので、特にお年寄りや身障者など介護が必要な人に対して好ましく使用できるようにしている。
また、第２結束体６が弾性を有するゴムバンドからなるため、上ロール５同士の間隔を使用者の体形に合わせて柔軟に調整できるとともに、上ロール５がランダムに動けるため使用者との接触箇所や荷重量が変化して床ズレを効果的に防止できる。
さらに、上ロール５は一方に荷重が加わると他方が持ち上がって使用者と均一に接触することになるから、荷重が分散されてより床ズレを防止できる。
その他、符号、構成、作用は実施例１のベッドと同じである。
【００１３】
実施例２（図１０，１１参照）
図１０，１１に示す実施例２は、ソファの座面となる基台上に実施例１のマットレスをクッションとして載置した例である。
図１０は、実施例２のソファの平面図である。
図１１は、図１０のＡ−Ａ断面図である。
図中、１３はソファ、１３ａは基台、１３ｂは背凭れ、１３ｃは肘掛、１３ｄは脚である。
【００１４】
本実施例では、ソファ１３の基台１３ａ上にソファ１３の幅方向に沿って上ロール５及び下ロール３を平行に配置しているから、座っている状態で人ｈの臀部が部分的に上ロール５間で形成された凹所に入り、背凭れ１３ｂがかなりの角度に傾斜しても、ズレることなく座ったままの姿勢を保持できる。また、臀部はクッション体１と部分的に接しているから、接していない部分は血行が維持され床擦れし難くなる。
その他、符号、構成は実施例１のマットレスと同じである。
【００１５】
【発明の効果】
以上のように本発明によれば、身体がズレることなく容易に姿勢を保持できるとともに、長時間使用していても接している箇所は部分的であるから血行を妨げることがなく床擦れを防止できる。
【図面の簡単な説明】
【図１】実施例１のベッドの平面図である。
【図２】実施例１のベッドの一部切欠平面図である。
【図３】図２のＡ−Ａ断面図である。
【図４】実施例１の下ロールの平面からみた説明図である。
【図５】実施例１の上ロールの平面からみた説明図である。
【図６】実施例１の使用状態を示す説明図である。
【図７】実施例１の使用状態を示す説明図である。
【図８】実施例１の他のベッドのシーツ及び敷布団を省略した一部切欠平面図である。
【図９】実施例１の他のベッドの側面図である。
【図１０】実施例２のソファの平面図である。
【図１１】図１０のＡ−Ａ断面図である。
【符号の説明】
１  ベッド
２  基台
２ａ  脚
３  下ロール
３ａ  綿
３ｂ  布袋
４  第１結束体
５  上ロール
５ａ  綿
５ｂ  布袋
６  第２結束体
７，８  被覆カバー
９  敷布団
１０  シーツ
１１  枕
１２  可動基台
１３  ソファ
１３ａ  基台
１３ｂ  背凭れ
１３ｃ  肘掛
１３ｄ  脚
ｈ  人
【図１】
0003618674.tif 000002
【図２】
0003618674.tif 000003
【図３】
0003618674.tif 000004
【図４】
0003618674.tif 000005
【図５】
0003618674.tif 000006
【図６】
0003618674.tif 000007
【図７】
0003618674.tif 000008
【図８】
0003618674.tif 000009
【図９】
0003618674.tif 000010
【図１０】
0003618674.tif 000011
【図１１】
0003618674.tif 000012